【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
隣接して配置される複数の表示領域に対応する複数の画像表示装置のそれぞれに接続された画像出力装置であって、
前記複数の画像表示装置のそれぞれから、その画像表示装置の表示領域の前記複数の表示領域に対する相対位置を少なくとも表す情報を取得する第１取得手段と、
前記画像表示装置毎に、その画像表示装置の前記情報に基づいて、
前記複数の画像表示装置で表示する元画像の領域のうち、
当該画像表示装置の表示領域に表示すべき画像の領域である表示対象領域と、
前記表示対象領域に隣接する糊代領域と、
からなる部分画像を生成する第１生成手段と、
前記画像表示装置毎に、その画像表示装置の部分画像を当該画像表示装置に出力する第１出力手段と、
を有する
ことを特徴とする画像出力装置。
【請求項２】
前記複数の画像表示装置のそれぞれから、その画像表示装置の表示対象領域に隣接する糊代領域を表す糊代情報を取得する第２取得手段をさらに有し、
前記第１生成手段は、前記画像表示装置毎に、
その画像表示装置の前記情報に基づいて表示対象領域を決定し、
決定した前記表示対象領域と、当該画像表示装置の糊代情報が表す糊代領域と、からなる部分画像を生成する
ことを特徴とする請求項１に記載の画像出力装置。
【請求項３】
前記糊代情報は、前記表示対象領域から前記糊代領域に向かう方向である隣接方向と、前記隣接方向における前記糊代領域のサイズと、からなる情報である
ことを特徴とする請求項２に記載の画像出力装置。
【請求項４】
前記複数の画像表示装置のそれぞれから、その画像表示装置の表示対象領域の辺毎に、その辺に隣接する糊代領域候補を表す糊代候補情報を取得する第３取得手段をさらに有し、
前記第１生成手段は、前記画像表示装置毎に、
その画像表示装置の前記情報に基づいて表示対象領域を決定し、
当該画像表示装置の前記情報に基づいて、当該画像表示装置の糊代候補情報が表す複数の糊代領域候補の中から、決定した前記表示対象領域に隣接する糊代領域候補を、糊代領域として選択する
ことを特徴とする請求項１に記載の画像出力装置。
【請求項５】
前記画像表示装置の表示領域は、当該表示領域に垂直な方向を軸として回転可能であり、
前記画像出力装置は、前記複数の画像表示装置のそれぞれから、その画像表示装置の表示領域の回転方向と回転角を表す回転情報を取得する第４取得手段をさらに有し、
前記第１生成手段は、
前記情報と前記回転情報に基づいて、前記表示対象領域を決定し、
前記情報と前記回転情報に基づいて、前記糊代候補情報が表す複数の糊代領域候補の中から、前記表示対象領域に隣接する糊代領域候補を、糊代領域として選択する
ことを特徴とする請求項４に記載の画像出力装置。
【請求項６】
前記画像表示装置の前記情報は、当該画像表示装置の表示領域のサイズをさらに表す
ことを特徴とする請求項１〜５のいずれか１項に記載の画像出力装置。
【請求項７】
前記表示対象領域から前記糊代領域に向かう方向である隣接方向における前記糊代領域のサイズは、前記隣接方向に依存しない値であり、
前記画像表示装置の前記情報は、その画像表示装置の部分画像のサイズをさらに表すことを特徴とする請求項１に記載の画像出力装置。
【請求項８】
前記画像表示装置の表示領域は、当該表示領域に垂直な方向を軸として回転可能であり、
前記画像表示装置は、前記表示領域の回転角が０°のときの前記表示領域の水平方向に画像の水平方向を一致させて前記画像を前記表示領域に表示する装置であり、
前記画像出力装置は、前記複数の画像表示装置のそれぞれから、その画像表示装置の表示領域の回転方向と回転角を表す回転情報を取得する第４取得手段をさらに有し、
前記第１出力手段は、前記画像表示装置毎に、その画像表示装置の部分画像を、当該画像表示装置の回転情報が表す回転方向と逆方向に、当該回転情報が表す回転角だけ回転させて、出力する
ことを特徴とする請求項１〜７のいずれか１項に記載の画像出力装置。
【請求項９】
隣接して配置される複数の表示領域に対応する複数の画像表示装置のいずれかであり、且つ、画像出力装置に接続された画像表示装置であって、
自身の表示領域である自表示領域の前記複数の表示領域に対する相対位置を少なくとも表す情報を生成する第２生成手段と、
前記複数の画像表示装置で表示する元画像の領域のうち、前記自表示領域に表示すべき画像の領域である表示対象領域に隣接する糊代領域を表す糊代情報を取得する第５取得手段と、
前記情報を前記画像出力装置に出力する第２出力手段と、
前記表示対象領域と前記糊代領域からなる部分画像を、前記画像出力装置から取得する第６取得手段と、
前記部分画像に画像処理を施すことにより、処理部分画像を生成する画像処理手段と、前記糊代情報が表す前記糊代領域の画像を前記処理部分画像から除去することにより、表示用画像を生成する除去手段と、
前記表示用画像を前記自表示領域に表示する表示手段と、
を有することを特徴とする画像表示装置。
【請求項１０】
前記第５取得手段は、前記情報に基づいて前記糊代情報を生成する
ことを特徴とする請求項９に記載の画像表示装置。
【請求項１１】
前記第５取得手段は、前記情報に基づいて前記表示対象領域から前記糊代領域に向かう方向である隣接方向を検出し、前記隣接方向の検出結果に基づいて前記糊代情報を生成する
ことを特徴とする請求項９または１０に記載の画像表示装置。
【請求項１２】
前記自表示領域は、前記自表示領域に垂直な方向を軸として回転可能であり、
前記画像表示装置は、前記自表示領域の回転を検出する検出手段をさらに有し、
前記第５取得手段は、前記情報、及び、前記自表示領域の回転方向と回転角に基づいて、前記糊代情報を生成する
ことを特徴とする請求項９〜１１のいずれか１項に記載の画像表示装置。
【請求項１３】
前記糊代領域は、前記表示対象領域に隣接し、且つ、前記画像処理手段が前記表示対象領域に前記画像処理を施す際に参照される領域である
ことを特徴とする請求項９〜１２のいずれか１項に記載の画像表示装置。
【請求項１４】
前記画像処理手段で実行される画像処理が互いに異なる複数の画像処理モードのうちのいずれかを設定する第１設定手段をさらに有し、
前記第５取得手段は、設定されている画像処理モードに応じたサイズの糊代領域を表す糊代情報を生成する
ことを特徴とする請求項９〜１３のいずれか１項に記載の画像表示装置。
【請求項１５】
前記糊代情報は、前記表示対象領域から前記糊代領域に向かう方向である隣接方向と、前記隣接方向における前記糊代領域のサイズと、からなる情報である
ことを特徴とする請求項９〜１４のいずれか１項に記載の画像表示装置。
【請求項１６】
前記糊代情報を前記画像出力装置に出力する第３出力手段をさらに有する
ことを特徴とする請求項９〜１５のいずれか１項に記載の画像表示装置。
【請求項１７】
前記表示対象領域から前記糊代領域に向かう方向である隣接方向における前記糊代領域のサイズは、前記隣接方向に依存しない値であり、
前記情報は、前記部分画像のサイズをさらに表す
ことを特徴とする請求項９〜１５のいずれか１項に記載の画像表示装置。
【請求項１８】
前記第２生成手段は、前記自表示領域の前記複数の表示領域に対する相対位置をユーザ操作に応じて決定する
ことを特徴とする請求項９〜１７のいずれか１項に記載の画像表示装置。
【請求項１９】
前記自表示領域は、前記自表示領域に垂直な方向を軸として回転可能であり、
前記表示手段は、前記自表示領域の回転角が０°のときの前記自表示領域の水平方向に前記表示用画像の水平方向を一致させて、前記表示用画像を前記自表示領域に表示し、
前記画像表示装置は、
前記自表示領域の回転を検出する検出手段と、
前記自表示領域の回転方向と回転角を表す回転情報を前記画像出力装置に出力する第５出力手段と、
をさらに有し、
前記第６取得手段は、前記自表示領域の回転方向と逆方向に、前記自表示領域の回転角
だけ回転させた画像を、前記部分画像として取得する
ことを特徴とする請求項９〜１８のいずれか１項に記載の画像表示装置。
【請求項２０】
前記自表示領域は、前記自表示領域に垂直な方向を軸として回転可能であり、
前記表示手段は、前記自表示領域の回転角が０°のときの前記自表示領域の水平方向に前記表示用画像の水平方向を一致させて、前記表示用画像を前記自表示領域に表示し、
前記画像表示装置は、前記自表示領域の回転を検出する検出手段をさらに有し、
前記糊代領域の画像を除去する処理、及び、前記自表示領域の回転方向と逆方向に前記自表示領域の回転角だけ画像を回転させる処理を、前記処理部分画像に施すことにより、前記表示用画像が生成される
ことを特徴とする請求項９〜１８のいずれか１項に記載の画像表示装置。
【請求項２１】
画像表示装置の表示領域を構成する複数の分割表示領域に画像を表示する複数の画像表示モジュールのそれぞれに接続された画像出力装置であって、
前記複数の画像表示モジュールのそれぞれから、その画像表示モジュールの分割表示領域の前記複数の分割表示領域に対する相対位置を少なくとも表す情報を取得する第１取得手段と、
前記画像表示モジュール毎に、その画像表示モジュールの前記情報に基づいて、
前記複数の画像表示モジュールで表示する元画像の領域のうち、
当該画像表示モジュールの分割表示領域に表示すべき画像の領域である表示対象領域と、
前記表示対象領域に隣接する糊代領域と、
からなる部分画像を生成する第１生成手段と、
前記画像表示モジュール毎に、その画像表示モジュールの部分画像を当該画像表示モジュールに出力する第１出力手段と、
を有する
ことを特徴とする画像出力装置。
【請求項２２】
画像表示装置の表示領域を構成する複数の分割表示領域に画像を表示する複数の画像表示モジュールのいずれかであり、且つ、画像出力装置に接続された画像表示モジュールであって、
自身の分割表示領域である自表示領域の前記複数の分割表示領域に対する相対位置を少なくとも表す情報を生成する第２生成手段と、
前記複数の画像表示モジュールで表示する元画像の領域のうち、前記自表示領域に表示すべき画像の領域である表示対象領域に隣接する領域である糊代領域を表す糊代情報を取得する第５取得手段と、
前記情報を前記画像出力装置に出力する第２出力手段と、
前記表示対象領域と前記糊代領域からなる部分画像を、前記画像出力装置から取得する第６取得手段と、
前記部分画像に画像処理を施すことにより、処理部分画像を生成する画像処理手段と、
前記糊代情報が表す前記糊代領域の画像を前記処理部分画像から除去することにより、表示用画像を生成する除去手段と、
前記表示用画像を前記自表示領域に表示する表示手段と、
を有することを特徴とする画像表示モジュール。
【請求項２３】
隣接して配置される複数の表示領域に対応する複数の画像表示装置のそれぞれに接続された画像出力装置の制御方法であって、
前記複数の画像表示装置のそれぞれから、その画像表示装置の表示領域の前記複数の表示領域に対する相対位置を少なくとも表す情報を取得する第１取得ステップと、
前記画像表示装置毎に、その画像表示装置の前記情報に基づいて、
前記複数の画像表示装置で表示する元画像の領域のうち、
当該画像表示装置の表示領域に表示すべき画像の領域である表示対象領域と、
前記表示対象領域に隣接する糊代領域と、
からなる部分画像を生成する第１生成ステップと、
前記画像表示装置毎に、その画像表示装置の部分画像を当該画像表示装置に出力する第１出力ステップと、
を有する
ことを特徴とする画像出力装置の制御方法。
【請求項２４】
隣接して配置される複数の表示領域に対応する複数の画像表示装置のいずれかであり、且つ、画像出力装置に接続された画像表示装置の制御方法であって、
自身の表示領域である自表示領域の前記複数の表示領域に対する相対位置を少なくとも表す情報を生成する第２生成ステップと、
前記複数の画像表示装置で表示する元画像の領域のうち、前記自表示領域に表示すべき画像の領域である表示対象領域に隣接する領域である糊代領域を表す糊代情報を取得する第５取得ステップと、
前記情報を前記画像出力装置に出力する第２出力ステップと、
前記表示対象領域と前記糊代領域からなる部分画像を、前記画像出力装置から取得する第６取得ステップと、
前記部分画像に画像処理を施すことにより、処理部分画像を生成する画像処理ステップと、
前記糊代情報が表す前記糊代領域の画像を前記処理部分画像から除去することにより、表示用画像を生成する除去ステップと、
前記表示用画像を前記自表示領域に表示する表示ステップと、
を有することを特徴とする画像表示装置の制御方法。
【請求項２５】
画像表示装置の表示領域を構成する複数の分割表示領域に画像を表示する複数の画像表示モジュールのそれぞれに接続された画像出力装置の制御方法であって、
前記複数の画像表示モジュールのそれぞれから、その画像表示モジュールの分割表示領域の前記複数の分割表示領域に対する相対位置を少なくとも表す情報を取得する第１取得ステップと、
前記画像表示モジュール毎に、その画像表示モジュールの情報に基づいて、
前記複数の画像表示モジュールで表示する元画像の領域のうち、
当該画像表示モジュールの分割表示領域に表示すべき画像の領域である表示対象領域と、
前記表示対象領域に隣接する糊代領域と、
からなる部分画像を生成する第１生成ステップと、
前記画像表示モジュール毎に、その画像表示モジュールの部分画像を当該画像表示モジュールに出力する第１出力ステップと、
を有する
ことを特徴とする画像出力装置の制御方法。
【請求項２６】
画像表示装置の表示領域を構成する複数の分割表示領域に画像を表示する複数の画像表示モジュールのいずれかであり、且つ、画像出力装置に接続された画像表示モジュールの制御方法であって、
自身の分割表示領域である自表示領域の前記複数の分割表示領域に対する相対位置を少なくとも表す情報を生成する第２生成ステップと、
前記複数の画像表示モジュールで表示する元画像の領域のうち、前記自表示領域に表示すべき画像の領域である表示対象領域に隣接する領域である糊代領域を表す糊代情報を取得する第５取得ステップと、
前記情報を前記画像出力装置に出力する第２出力ステップと、
前記表示対象領域と前記糊代領域からなる部分画像を、前記画像出力装置から取得する第６取得ステップと、
前記部分画像に画像処理を施すことにより、処理部分画像を生成する画像処理ステップと、
前記糊代情報が表す前記糊代領域の画像を前記処理部分画像から除去することにより、表示用画像を生成する除去ステップと、
前記表示用画像を前記自表示領域に表示する表示ステップと、
を有することを特徴とする画像表示モジュールの制御方法。 
【手続補正２】
【補正対象書類名】明細書
【補正対象項目名】００１３
【補正方法】変更
【補正の内容】
【００１３】
本発明の第１の態様は、
隣接して配置される複数の表示領域に対応する複数の画像表示装置のそれぞれに接続された画像出力装置であって、
前記複数の画像表示装置のそれぞれから、その画像表示装置の表示領域の前記複数の表示領域に対する相対位置を少なくとも表す情報を取得する第１取得手段と、
前記画像表示装置毎に、その画像表示装置の前記情報に基づいて、
前記複数の画像表示装置で表示する元画像の領域のうち、
当該画像表示装置の表示領域に表示すべき画像の領域である表示対象領域と、
前記表示対象領域に隣接する糊代領域と、
からなる部分画像を生成する第１生成手段と、
前記画像表示装置毎に、その画像表示装置の部分画像を当該画像表示装置に出力する第１出力手段と、
を有する
ことを特徴とする画像出力装置である。 
【手続補正３】
【補正対象書類名】明細書
【補正対象項目名】００１４
【補正方法】変更
【補正の内容】
【００１４】
本発明の第２の態様は、
隣接して配置される複数の表示領域に対応する複数の画像表示装置のいずれかであり、且つ、画像出力装置に接続された画像表示装置であって、
自身の表示領域である自表示領域の前記複数の表示領域に対する相対位置を少なくとも表す情報を生成する第２生成手段と、
前記複数の画像表示装置で表示する元画像の領域のうち、前記自表示領域に表示すべき画像の領域である表示対象領域に隣接する糊代領域を表す糊代情報を取得する第５取得手段と、
前記情報を前記画像出力装置に出力する第２出力手段と、
前記表示対象領域と前記糊代領域からなる部分画像を、前記画像出力装置から取得する第６取得手段と、
前記部分画像に画像処理を施すことにより、処理部分画像を生成する画像処理手段と、前記糊代情報が表す前記糊代領域の画像を前記処理部分画像から除去することにより、表示用画像を生成する除去手段と、
前記表示用画像を前記自表示領域に表示する表示手段と、
を有することを特徴とする画像表示装置である。 
【手続補正４】
【補正対象書類名】明細書
【補正対象項目名】００１５
【補正方法】変更
【補正の内容】
【００１５】
本発明の第３の態様は、
画像表示装置の表示領域を構成する複数の分割表示領域に画像を表示する複数の画像表示モジュールのそれぞれに接続された画像出力装置であって、
前記複数の画像表示モジュールのそれぞれから、その画像表示モジュールの分割表示領域の前記複数の分割表示領域に対する相対位置を少なくとも表す情報を取得する第１取得手段と、
前記画像表示モジュール毎に、その画像表示モジュールの前記情報に基づいて、
前記複数の画像表示モジュールで表示する元画像の領域のうち、
当該画像表示モジュールの分割表示領域に表示すべき画像の領域である表示対象領域と、
前記表示対象領域に隣接する糊代領域と、
からなる部分画像を生成する第１生成手段と、
前記画像表示モジュール毎に、その画像表示モジュールの部分画像を当該画像表示モジュールに出力する第１出力手段と、
を有する
ことを特徴とする画像出力装置である。 
【手続補正５】
【補正対象書類名】明細書
【補正対象項目名】００１６
【補正方法】変更
【補正の内容】
【００１６】
本発明の第４の態様は、
画像表示装置の表示領域を構成する複数の分割表示領域に画像を表示する複数の画像表示モジュールのいずれかであり、且つ、画像出力装置に接続された画像表示モジュールであって、
自身の分割表示領域である自表示領域の前記複数の分割表示領域に対する相対位置を少なくとも表す情報を生成する第２生成手段と、
前記複数の画像表示モジュールで表示する元画像の領域のうち、前記自表示領域に表示すべき画像の領域である表示対象領域に隣接する領域である糊代領域を表す糊代情報を取得する第５取得手段と、
前記情報を前記画像出力装置に出力する第２出力手段と、
前記表示対象領域と前記糊代領域からなる部分画像を、前記画像出力装置から取得する第６取得手段と、
前記部分画像に画像処理を施すことにより、処理部分画像を生成する画像処理手段と、
前記糊代情報が表す前記糊代領域の画像を前記処理部分画像から除去することにより、表示用画像を生成する除去手段と、
前記表示用画像を前記自表示領域に表示する表示手段と、
を有することを特徴とする画像表示モジュールである。 
【手続補正６】
【補正対象書類名】明細書
【補正対象項目名】００１７
【補正方法】変更
【補正の内容】
【００１７】
本発明の第５の態様は、
隣接して配置される複数の表示領域に対応する複数の画像表示装置のそれぞれに接続された画像出力装置の制御方法であって、
前記複数の画像表示装置のそれぞれから、その画像表示装置の表示領域の前記複数の表示領域に対する相対位置を少なくとも表す情報を取得する第１取得ステップと、
前記画像表示装置毎に、その画像表示装置の前記情報に基づいて、
前記複数の画像表示装置で表示する元画像の領域のうち、
当該画像表示装置の表示領域に表示すべき画像の領域である表示対象領域と、
前記表示対象領域に隣接する糊代領域と、
からなる部分画像を生成する第１生成ステップと、
前記画像表示装置毎に、その画像表示装置の部分画像を当該画像表示装置に出力する第１出力ステップと、
を有する
ことを特徴とする画像出力装置の制御方法である。 
【手続補正７】
【補正対象書類名】明細書
【補正対象項目名】００１８
【補正方法】変更
【補正の内容】
【００１８】
本発明の第６の態様は、
隣接して配置される複数の表示領域に対応する複数の画像表示装置のいずれかであり、且つ、画像出力装置に接続された画像表示装置の制御方法であって、
自身の表示領域である自表示領域の前記複数の表示領域に対する相対位置を少なくとも表す情報を生成する第２生成ステップと、
前記複数の画像表示装置で表示する元画像の領域のうち、前記自表示領域に表示すべき画像の領域である表示対象領域に隣接する領域である糊代領域を表す糊代情報を取得する第５取得ステップと、
前記情報を前記画像出力装置に出力する第２出力ステップと、
前記表示対象領域と前記糊代領域からなる部分画像を、前記画像出力装置から取得する第６取得ステップと、
前記部分画像に画像処理を施すことにより、処理部分画像を生成する画像処理ステップと、
前記糊代情報が表す前記糊代領域の画像を前記処理部分画像から除去することにより、表示用画像を生成する除去ステップと、
前記表示用画像を前記自表示領域に表示する表示ステップと、
を有することを特徴とする画像表示装置の制御方法である。 
【手続補正８】
【補正対象書類名】明細書
【補正対象項目名】００１９
【補正方法】変更
【補正の内容】
【００１９】
本発明の第７の態様は、
画像表示装置の表示領域を構成する複数の分割表示領域に画像を表示する複数の画像表示モジュールのそれぞれに接続された画像出力装置の制御方法であって、
前記複数の画像表示モジュールのそれぞれから、その画像表示モジュールの分割表示領域の前記複数の分割表示領域に対する相対位置を少なくとも表す情報を取得する第１取得
ステップと、
前記画像表示モジュール毎に、その画像表示モジュールの情報に基づいて、
前記複数の画像表示モジュールで表示する元画像の領域のうち、
当該画像表示モジュールの分割表示領域に表示すべき画像の領域である表示対象領域と、
前記表示対象領域に隣接する糊代領域と、
からなる部分画像を生成する第１生成ステップと、
前記画像表示モジュール毎に、その画像表示モジュールの部分画像を当該画像表示モジュールに出力する第１出力ステップと、
を有する
ことを特徴とする画像出力装置の制御方法である。 
【手続補正９】
【補正対象書類名】明細書
【補正対象項目名】００２０
【補正方法】変更
【補正の内容】
【００２０】
本発明の第８の態様は、
画像表示装置の表示領域を構成する複数の分割表示領域に画像を表示する複数の画像表示モジュールのいずれかであり、且つ、画像出力装置に接続された画像表示モジュールの制御方法であって、
自身の分割表示領域である自表示領域の前記複数の分割表示領域に対する相対位置を少なくとも表す情報を生成する第２生成ステップと、
前記複数の画像表示モジュールで表示する元画像の領域のうち、前記自表示領域に表示すべき画像の領域である表示対象領域に隣接する領域である糊代領域を表す糊代情報を取得する第５取得ステップと、
前記情報を前記画像出力装置に出力する第２出力ステップと、
前記表示対象領域と前記糊代領域からなる部分画像を、前記画像出力装置から取得する第６取得ステップと、
前記部分画像に画像処理を施すことにより、処理部分画像を生成する画像処理ステップと、
前記糊代情報が表す前記糊代領域の画像を前記処理部分画像から除去することにより、表示用画像を生成する除去ステップと、
前記表示用画像を前記自表示領域に表示する表示ステップと、
を有することを特徴とする画像表示モジュールの制御方法である。